Podtech/llm-jp-corpus-v4-ja_patent huggingface dataset:
【手続補正書】
【提出日】令和2年9月18日(2020.9.18)
【手続補正１】
【補正対象書類名】特許請求の範囲
【補正対象項目名】全文
【補正方法】変更
【補正の内容】
【特許請求の範囲】
【請求項１】
所定条件の成立に基づいて取得した取得情報を、保留として記憶可能な保留記憶手段と、
前記保留記憶手段に記憶される取得情報に基づいて、識別情報を変動表示する識別情報表示手段と、
前記識別情報の変動表示に伴って、所定の遊技演出を実行可能な遊技演出実行手段と、
遊技球が入球可能な入球可能状態と、遊技球が入球不能な入球不能状態と、に変化可能な可変入球口と、
前記識別情報の変動表示の結果が特定結果となると前記可変入球口を入球可能状態とする特別遊技を実行する特別遊技実行手段と、を備え、
前記特別遊技として、第１特別遊技と、前記第１特別遊技よりも有利な第２特別遊技と、を有し、
前記遊技演出として、第１遊技演出と、前記第１遊技演出と演出態様の異なる第２遊技演出と、を有し、
前記第２遊技演出の実行中に前記識別情報の変動表示の結果が特定結果となると、前記特別遊技として前記第２特別遊技を実行する遊技機であって、
前記識別情報の変動表示の開始前に、前記識別情報の変動表示の結果を事前判定する事前判定手段を備え、
前記遊技演出実行手段は、前記第２遊技演出の実行中に特定条件が成立すると、前記第２遊技演出を終了するものとされ、
前記特定条件は、
前記第２遊技演出の実行中に、前記事前判定手段が、前記識別情報の変動表示の結果が特定結果となり前記第１特別遊技が実行されると事前判定することに基づいて成立する場合と、
前記第２遊技演出の実行中に、前記保留記憶手段に記憶される取得情報がないと判定することに基づいて成立する場合と、があり、
前記第２遊技演出の実行中であって、前記識別情報の変動表示の開始に際して、前記特定条件が成立するかどうかを判定する
ことを特徴とする遊技機。
【手続補正２】
【補正対象書類名】明細書
【補正対象項目名】０００７
【補正方法】変更
【補正の内容】
【０００７】
上述の課題を解決するための第１発明の遊技機は、
所定条件の成立に基づいて取得した取得情報を、保留として記憶可能な保留記憶手段と、
前記保留記憶手段に記憶される取得情報に基づいて、識別情報を変動表示する識別情報表示手段と、
前記識別情報の変動表示に伴って、所定の遊技演出を実行可能な遊技演出実行手段と、
遊技球が入球可能な入球可能状態と、遊技球が入球不能な入球不能状態と、に変化可能な可変入球口と、
前記識別情報の変動表示の結果が特定結果となると前記可変入球口を入球可能状態とする特別遊技を実行する特別遊技実行手段と、を備え、
前記特別遊技として、第１特別遊技と、前記第１特別遊技よりも有利な第２特別遊技と、を有し、
前記遊技演出として、第１遊技演出と、前記第１遊技演出と演出態様の異なる第２遊技演出と、を有し、
前記第２遊技演出の実行中に前記識別情報の変動表示の結果が特定結果となると、前記特別遊技として前記第２特別遊技を実行する遊技機であって、
前記識別情報の変動表示の開始前に、前記識別情報の変動表示の結果を事前判定する事前判定手段を備え、
前記遊技演出実行手段は、前記第２遊技演出の実行中に特定条件が成立すると、前記第２遊技演出を終了するものとされ、
前記特定条件は、
前記第２遊技演出の実行中に、前記事前判定手段が、前記識別情報の変動表示の結果が特定結果となり前記第１特別遊技が実行されると事前判定することに基づいて成立する場合と、
前記第２遊技演出の実行中に、前記保留記憶手段に記憶される取得情報がないと判定することに基づいて成立する場合と、があり、
前記第２遊技演出の実行中であって、前記識別情報の変動表示の開始に際して、前記特定条件が成立するかどうかを判定する
ことを特徴とするものである。

【手続補正３】
【補正対象書類名】明細書
【補正対象項目名】０００８
【補正方法】変更
【補正の内容】
【０００８】
このような遊技機によれば、取得情報を保留として記憶する保留記憶手段を備え、特別遊技として、第１特別遊技と第１特別遊技よりも有利な第２特別遊技とを有し、遊技演出として第１遊技演出と第２遊技演出とを有を有し、第２遊技演出の実行中に識別情報の変動表示の結果が特定結果となると、特別遊技として第２特別遊技を実行するものとしている。また、識別情報の変動表示の結果を事前判定する事前判定手段を備え、第２遊技演出の実行中に、第１特別遊技が実行されることが事前判定された場合及び保留記憶手段に取得情報が記憶されていないと判定された場合、の何れの場合も特定条件が成立したものとして、第２遊技演出を終了するものとしている。
すなわち、特定条件が成立した場合には、識別情報の変動表示の結果が特定結果となれば遊技者に有利な第２特別遊技が実行される第２遊技演出の実行期間を終了するものとしている。これにより、遊技者は、第２遊技演出の長期間の継続に期待して、保留記憶手段に取得情報が記憶されない期間が発生しないように遊技する。またこれにより、発射と発射停止とを繰り返す、所謂止め打ち行為を抑制することが可能となり、遊技機の稼働率を向上させることが可能となる。また、識別情報の変動表示が一旦途切れることによって、識別情報の変動表示の結果が特定結果となった際に、第２遊技演出の実行中であったかどうかが不明確となるのを防ぎ、遊技興趣の低下を防止することが可能となる。
また、特定条件が成立したかどうかの判定を、識別情報の変動表示の開始に際して行うものとする。これにより、事前判定手段が第１特別遊技を実行すると判定した場合に、実行中の第２遊技演出を、第１特別遊技に係る識別情報の変動表示の開始前に確実に終了させることが可能となる。また、保留記憶手段に取得情報が記憶されていないと判定した場合に、実行中の第２遊技演出を、全ての識別情報の変動表示が終了する前に確実に終了させることが可能となる。これにより、識別情報の変動表示の結果が特定結果となったときに実行中の遊技演出が、第１遊技演出か第２遊技演出かを明確化することが可能となる。
【手続補正書】
【提出日】令和1年11月26日(2019.11.26)
【手続補正１】
【補正対象書類名】特許請求の範囲
【補正対象項目名】全文
【補正方法】変更
【補正の内容】
【特許請求の範囲】
【請求項１】
画像表示手段を備え、
所定の遊技状態の終了に関する表示を前記画像表示手段に表示可能とし、
所定の遊技状態の終了に関する表示を前記画像表示手段に表示している際に、注意喚起表示を前記画像表示手段に表示可能とし、
注意喚起表示は、所定の遊技状態の終了に関する表示に含まれる獲得数表示が視認不能とならない位置に表示される
ことを特徴とする遊技機。
【手続補正２】
【補正対象書類名】明細書
【補正対象項目名】発明の名称
【補正方法】変更
【補正の内容】
【発明の名称】遊技機
【手続補正３】
【補正対象書類名】明細書
【補正対象項目名】０００１
【補正方法】変更
【補正の内容】
【０００１】
遊技機に関する。
【手続補正４】
【補正対象書類名】明細書
【補正対象項目名】０００５
【補正方法】変更
【補正の内容】
【０００５】
効果的にのめりこみ対策を行うことが望まれている。
【手続補正５】
【補正対象書類名】明細書
【補正対象項目名】０００６
【補正方法】変更
【補正の内容】
【０００６】
本態様に係る遊技機は、
画像表示手段を備え、
所定の遊技状態の終了に関する表示を前記画像表示手段に表示可能とし、
所定の遊技状態の終了に関する表示を前記画像表示手段に表示している際に、注意喚起表示を前記画像表示手段に表示可能とし、
注意喚起表示は、所定の遊技状態の終了に関する表示に含まれる獲得数表示が視認不能とならない位置に表示される
ことを特徴とする遊技機である。
＜付記＞
尚、本態様とは異なる別態様について以下に列記しておくが、これらには何ら限定されることなく実施することが可能である。
本別態様に係る遊技機は、
遊技の進行を制御する主制御手段を備えた遊技機において、
再遊技確率の異なる状態として、第１の遊技状態と第２の遊技状態と第３の遊技状態とを有し、
前記主制御手段は、再遊技確率の状態を記憶可能な第１の記憶領域、及び、第２の記憶領域を有した記憶手段を有し、
前記主制御手段は、第１の遊技状態において、所定の特別役を含む当選番号に当選した状況下においては、第１の記憶領域には、第１の遊技状態に対応する情報が記憶されているように構成され、
第１の遊技状態において、所定の特別役を含む当選番号に当選し、所定の特別役に対応する図柄組合せが停止表示された場合には、特別遊技状態に移行可能とし、
前記特別遊技状態の終了条件を満たした場合には、第２の遊技状態に移行可能とし、
第２の遊技状態を実行している場合には、第１の記憶領域には第１の遊技状態に対応する情報が記憶され、第２の記憶領域には第２の遊技状態に対応する情報が記憶されているように構成され、
第２の遊技状態を終了させる所定の終了条件を満たした場合には、第１の記憶領域に記憶されている情報に基づいて、第２の記憶領域に記憶される情報として第１の遊技状態に対応する情報が記憶されるように構成されており、
第２の遊技状態であり、第２の遊技状態を終了させる所定の終了条件を満たす前に第３の遊技状態に移行する特定の条件を満たした場合には、第１の記憶領域に記憶される情報として第３の遊技状態に対応する情報が記憶され、第２の記憶領域に記憶される情報として第３の遊技状態に対応する情報が記憶されるように構成されている
ことを特徴とする遊技機である。
【手続補正６】
【補正対象書類名】明細書
【補正対象項目名】０００７
【補正方法】変更
【補正の内容】
【０００７】
本態様に係る遊技機によれば、効果的にのめり込みの対策を行うことができる、という効果を奏する。
【手続補正書】
【提出日】令和2年10月16日(2020.10.16)
【手続補正１】
【補正対象書類名】特許請求の範囲
【補正対象項目名】全文
【補正方法】変更
【補正の内容】
【特許請求の範囲】
【請求項１】
ＭＡＸベットランプと、
ＭＡＸベットスイッチと、
貯留数が表示され得る貯留数表示手段と、
複数のストップスイッチと、
所定の表示手段と、
抽選手段と
を備え、
遊技区間として、通常区間と有利区間とを有し、
有利区間における遊技の実行回数が所定回数となる遊技が実行されると、有利区間を終了し、
前記抽選手段により決定され得る抽選結果として、所定抽選結果と特定抽選結果とを有し、
前記所定抽選結果が決定され、遊技者の停止操作が受け付けられたことに基づいて、所定図柄組合せが停止表示され得るよう構成されており、
前記所定図柄組合せが停止表示された場合は、前記所定図柄組合せに対応した数の遊技媒体が付与され得るよう構成されており、
通常区間において前記所定抽選結果が決定された遊技では、前記所定の表示手段によって操作態様を報知せず、
有利区間において前記所定抽選結果が決定された遊技では、前記所定の表示手段によって操作態様を報知する場合を有し、
所定の状況下における第１の遊技において前記抽選手段により前記所定抽選結果が決定され、その後当該第１の遊技の次回の遊技に関するベット数が０であり、前記貯留数表示手段に貯留数の表示として所定数が表示されている特定の状況下ではＭＡＸベットランプが点灯されており、その後遊技媒体投入口に遊技媒体が１枚投入される場合において、遊技媒体投入口に当該遊技媒体が投入された以降の第１のタイミングでは、ＭＡＸベットスイッチの操作によるベットはできないがＭＡＸベットランプが点灯されており、その後の第２のタイミングでは、ＭＡＸベットスイッチの操作によるベットは可能でありＭＡＸベットランプが点灯されているよう構成されており、
前記特定抽選結果が決定され、特別図柄組合せが停止表示しなかった場合には、特別図柄組合せを停止表示可能とする当選情報を持ち越している状態となるように構成され、
有利区間における遊技の実行回数が前記所定回数となる遊技が特別図柄組合せを停止表示可能とする当選情報を持ち越している状態で実行されたときにも、有利区間が終了するよう構成される
ことを特徴とする回胴式遊技機。
【手続補正２】
【補正対象書類名】明細書
【補正対象項目名】０００５
【補正方法】変更
【補正の内容】
【０００５】
円滑に遊技を進行できる遊技機の提供が望まれている。
【手続補正３】
【補正対象書類名】明細書
【補正対象項目名】０００６
【補正方法】変更
【補正の内容】
【０００６】
本態様に係る回胴式遊技機は、
ＭＡＸベットランプと、
ＭＡＸベットスイッチと、
貯留数が表示され得る貯留数表示手段と、
複数のストップスイッチと、
所定の表示手段と、
抽選手段と
を備え、
遊技区間として、通常区間と有利区間とを有し、
有利区間における遊技の実行回数が所定回数となる遊技が実行されると、有利区間を終了し、
前記抽選手段により決定され得る抽選結果として、所定抽選結果と特定抽選結果とを有し、
前記所定抽選結果が決定され、遊技者の停止操作が受け付けられたことに基づいて、所定図柄組合せが停止表示され得るよう構成されており、
前記所定図柄組合せが停止表示された場合は、前記所定図柄組合せに対応した数の遊技媒体が付与され得るよう構成されており、
通常区間において前記所定抽選結果が決定された遊技では、前記所定の表示手段によって操作態様を報知せず、
有利区間において前記所定抽選結果が決定された遊技では、前記所定の表示手段によって操作態様を報知する場合を有し、
所定の状況下における第１の遊技において前記抽選手段により前記所定抽選結果が決定され、その後当該第１の遊技の次回の遊技に関するベット数が０であり、前記貯留数表示手段に貯留数の表示として所定数が表示されている特定の状況下ではＭＡＸベットランプが点灯されており、その後遊技媒体投入口に遊技媒体が１枚投入される場合において、遊技媒体投入口に当該遊技媒体が投入された以降の第１のタイミングでは、ＭＡＸベットスイッチの操作によるベットはできないがＭＡＸベットランプが点灯されており、その後の第２のタイミングでは、ＭＡＸベットスイッチの操作によるベットは可能でありＭＡＸベットランプが点灯されているよう構成されており、
前記特定抽選結果が決定され、特別図柄組合せが停止表示しなかった場合には、特別図柄組合せを停止表示可能とする当選情報を持ち越している状態となるように構成され、
有利区間における遊技の実行回数が前記所定回数となる遊技が特別図柄組合せを停止表示可能とする当選情報を持ち越している状態で実行されたときにも、有利区間が終了するよう構成される
ことを特徴とする回胴式遊技機である。
＜付記＞
尚、本態様とは異なる別態様について以下に列記しておくが、これらには何ら限定されることなく実施することが可能である。
本別態様に係る回胴式遊技機は、
主制御基板、払出制御基板、所定の基板を備え、
前記主制御基板には、第１の記憶手段を設け、
前記払出制御基板には、第２の記憶手段を設け、
前記所定の基板には、第１のコンデンサを設け、
前記払出制御基板には、第２のコンデンサを設け、
前記所定の基板は、前記主制御基板に電力を供給可能に構成され、
前記主制御基板に電力を供給するためのハーネスと前記払出制御基板に電力を供給するためのハーネスを略同一のタイミングで抜かれた場合から、前記第１の記憶手段に記憶されている情報を保持している時間をx、前記第２の記憶手段に記憶されている情報を保持している時間をyとしたとき、y＞xを満たす
ことを特徴とする。
【手続補正４】
【補正対象書類名】明細書
【補正対象項目名】０００７
【補正方法】変更
【補正の内容】
【０００７】
本態様に係る回胴式遊技機によれば、円滑に遊技を進行できる遊技機を提供することができる、という効果を奏する。
【手続補正書】
【提出日】令和2年6月26日(2020.6.26)
【手続補正１】
【補正対象書類名】特許請求の範囲
【補正対象項目名】全文
【補正方法】変更
【補正の内容】
【特許請求の範囲】
【請求項１】
遊技を行う遊技機であって、
遊技者に付与される価値を示唆する示唆表示を表示可能な示唆表示手段と、
示唆表示を装飾する装飾表示を表示可能な装飾表示手段と、
を備え、
示唆表示は装飾表示に重畳した特定態様で表示可能であり、
装飾表示は、他の演出表示と関連した態様で表示可能であり、
前記装飾表示手段は、特定態様で表示されているときに、装飾表示の態様を、装飾表示が動作している態様で表示可能な遊技機。
【手続補正２】
【補正対象書類名】明細書
【補正対象項目名】０００６
【補正方法】変更
【補正の内容】
【０００６】
（１）上記目的を達成するため、本願発明に係る遊技機は、遊技を行う遊技機（例えば、パチンコ遊技機１等）であって、遊技者に付与される価値を示唆する示唆表示（例えば、示唆表示５１ＳＨ００３、５１ＳＨ００７、５１ＳＨ００９、５１ＳＨ０１３等）を表示可能な示唆表示手段（例えば、演出制御用ＣＰＵ１２０等）と、示唆表示を装飾する装飾表示（例えば、ピザ５１ＳＨ００１、テレビ画面５１ＳＨ００５、花びら５１ＳＨ０１１、プール５１ＳＨ０１５等）を表示可能な装飾表示手段（例えば、演出制御用ＣＰＵ１２０等）と、を備え、示唆表示は装飾表示に重畳した特定態様で表示可能であり、装飾表示は、他の演出表示と関連した態様で表示可能であり、前記装飾表示手段は、特定態様で表示されているときに、装飾表示の態様を、装飾表示が動作している態様で表示可能（例えば、図２０−８（Ｂ）に示されるように、示唆表示５１ＳＨ００９は花びら５１ＳＨ０１１に重畳した特定態様で表示されているときに、花びら５１ＳＨ０１１の態様を、花びら５１ＳＨ０１１が動作している態様（ゆらゆら）で表示する等）な遊技機。
【手続補正書】
【提出日】令和2年6月26日(2020.6.26)
【手続補正１】
【補正対象書類名】特許請求の範囲
【補正対象項目名】全文
【補正方法】変更
【補正の内容】
【特許請求の範囲】
【請求項１】
遊技を行う遊技機であって、
遊技者に付与される価値を示唆する示唆表示を表示可能な示唆表示手段と、
示唆表示を装飾する装飾表示を表示可能な装飾表示手段と、
を備え、
示唆表示は装飾表示に重畳した特定態様で表示可能であり、
装飾表示は、他の演出表示と関連した態様で表示可能であり、
前記示唆表示手段は、特定態様で表示された後の示唆表示を、特定態様で表示される前の示唆表示よりも強調して表示する遊技機。
【手続補正２】
【補正対象書類名】明細書
【補正対象項目名】０００６
【補正方法】変更
【補正の内容】
【０００６】
（１）上記目的を達成するため、本願発明に係る遊技機は、遊技を行う遊技機（例えば、パチンコ遊技機１等）であって、遊技者に付与される価値を示唆する示唆表示（例えば、示唆表示５１ＳＨ００３、５１ＳＨ００７、５１ＳＨ００９、５１ＳＨ０１３等）を表示可能な示唆表示手段（例えば、演出制御用ＣＰＵ１２０等）と、示唆表示を装飾する装飾表示（例えば、ピザ５１ＳＨ００１、テレビ画面５１ＳＨ００５、花びら５１ＳＨ０１１、プール５１ＳＨ０１５等）を表示可能な装飾表示手段（例えば、演出制御用ＣＰＵ１２０等）と、を備え、示唆表示は装飾表示に重畳した特定態様で表示可能であり、装飾表示は、他の演出表示と関連した態様で表示可能であり、前記示唆表示手段は、特定態様で表示された後の示唆表示を、特定態様で表示される前の示唆表示よりも強調して表示する（例えば、図２０−４（Ｄ）に示されるように、特定態様で表示された後の示唆表示５１ＳＨ００３を、特定態様で表示される前の示唆表示５１ＳＨ００３よりも強調して表示する等）遊技機。
【手続補正書】
【提出日】令和2年8月7日(2020.8.7)
【手続補正１】
【補正対象書類名】特許請求の範囲
【補正対象項目名】全文
【補正方法】変更
【補正の内容】
【特許請求の範囲】
【請求項１】
遊技を行う遊技機であって、
特定価値の付与を示唆する示唆表示を表示可能な示唆表示手段と、
前記示唆表示を装飾する装飾表示を表示可能な装飾表示手段と、を備え、
前記装飾表示手段は、第１装飾態様の前記装飾表示と、該第１装飾態様と異なる第２装飾態様の前記装飾表示と、を表示可能であり、
前記第１装飾態様の前記装飾表示と前記第２装飾態様の前記装飾表示とで前記特定価値が付与される期待度が異なり、
前記装飾表示手段は、前記装飾表示を他の演出表示と関連する態様で表示可能であり、
前記示唆表示手段は、
前記示唆表示を前記装飾表示に重畳した特定態様で表示可能であり、
前記示唆表示を前記装飾表示の表示時間よりも長い時間表示可能であり、
前記示唆表示が前記特定態様で表示された後に、前記示唆表示が消去されるタイミングと、前記装飾表示が消去されるタイミングと、が異なる、
ことを特徴とする、遊技機。
【手続補正２】
【補正対象書類名】明細書
【補正対象項目名】０００６
【補正方法】変更
【補正の内容】
【０００６】
（Ａ）上記目的を達成するため、本願発明に係る遊技機は、遊技を行う遊技機であって、特定価値の付与を示唆する示唆表示を表示可能な示唆表示手段と、前記示唆表示を装飾する装飾表示を表示可能な装飾表示手段と、を備え、前記装飾表示手段は、第１装飾態様の前記装飾表示と、該第１装飾態様と異なる第２装飾態様の前記装飾表示と、を表示可能であり、前記第１装飾態様の前記装飾表示と前記第２装飾態様の前記装飾表示とで前記特定価値が付与される期待度が異なり、前記装飾表示手段は、前記装飾表示を他の演出表示と関連する態様で表示可能であり、前記示唆表示手段は、前記示唆表示を前記装飾表示に重畳した特定態様で表示可能であり、前記示唆表示を前記装飾表示の表示時間よりも長い時間表示可能であり、前記示唆表示が前記特定態様で表示された後に、前記示唆表示が消去されるタイミングと、前記装飾表示が消去されるタイミングと、が異なる、ことを特徴とする。
（１）他の態様に係る遊技機は、遊技を行う遊技機（例えば、パチンコ遊技機１等）であって、遊技者に付与される価値を示唆する示唆表示（例えば、示唆表示５１ＳＨ００３、５１ＳＨ００７、５１ＳＨ００９、５１ＳＨ０１３等）を表示可能な示唆表示手段（例えば、演出制御用ＣＰＵ１２０等）と、示唆表示を装飾する装飾表示（例えば、ピザ５１ＳＨ００１、テレビ画面５１ＳＨ００５、花びら５１ＳＨ０１１、プール５１ＳＨ０１５等）を表示可能な装飾表示手段（例えば、演出制御用ＣＰＵ１２０等）と、を備え、示唆表示は装飾表示に重畳した特定態様で表示可能であり、特定態様で表示された後に、示唆表示が消去されるタイミングと、装飾表示が消去されるタイミングとが異なる（例えば、図２０−１（Ｂ）に示される「消去タイミング」に示されるように、装飾表示の消去タイミングと示唆表示の消去タイミングとが異なる等）。
【手続補正書】
【提出日】令和2年10月12日(2020.10.12)
【手続補正１】
【補正対象書類名】特許請求の範囲
【補正対象項目名】全文
【補正方法】変更
【補正の内容】
【特許請求の範囲】
【請求項１】
記憶部と、操作画面を提供する提供部と、を備える画像形成装置であって、
外部装置から、複数ページを含む印刷データを受信する受信手段と、
前記受信した印刷データを前記記憶部に保存する保存手段と、
前記操作画面を介して、前記保存される印刷データの前記複数ページのうちの１以上のページを印刷するための第１指定を受け付ける第１受け付け手段と、
前記操作画面を介して、前記保存される印刷データの前記複数ページから１以上のページを削除するための第２指定を受け付ける第２受け付け手段と、
前記印刷データについての前記第１指定が受け付けられた場合、前記印刷データの印刷指示に応じて、前記第１指定に対応する前記１以上のページを印刷し、前記印刷データについての前記第２指定が受け付けられた場合、前記印刷データの印刷指示に応じて、前記第２指定に対応する前記１以上のページ以外のページを印刷する印刷手段と、を有し、
前記印刷手段が前記第１指定に対応する前記１以上のページを印刷した後、前記複数ページを含む前記印刷データが前記記憶部に残り、
前記印刷手段が前記第２指定に対応する前記１以上のページ以外のページを印刷した後、前記複数ページのうち、前記第２指定に対応する前記１以上のページを含まない印刷データが前記記憶部に残ることを特徴とする画像形成装置。
【請求項２】
前記第１指定は、前記受信した印刷データに関連づく印刷設定情報としての印刷範囲を変更するための指定であることを特徴とする請求項１に記載の画像形成装置。
【請求項３】
前記第１受け付け手段は、前記第１指定に対応する前記１以上のページの指定をまとめて受け付け、前記第２受け付け手段は、前記第２指定に対応する前記１以上のページの指定を１ページずつ受け付けることを特徴とする請求項１または２に記載の画像形成装置。
【請求項４】
前記第２受け付け手段が前記第２指定を受け付けようとする際に、前記第２指定に対応する前記１以上のページが削除される旨の警告画面が表示されることを特徴とする請求項１乃至３のいずれか１項に記載の画像形成装置。
【請求項５】
記憶部と、操作画面を提供する提供部と、を備える画像形成装置の制御方法であって、
外部装置から、複数ページを含む印刷データを受信する受信工程と、
前記受信した印刷データを前記記憶部に保存する保存工程と、
前記操作画面を介して、前記保存される印刷データの前記複数ページのうちの１以上のページを印刷するための第１指定を受け付ける第１受け付け工程と、
前記操作画面を介して、前記保存される印刷データの前記複数ページから１以上のページを削除するための第２指定を受け付ける第２受け付け工程と、
前記印刷データについての前記第１指定が受け付けられた場合、前記印刷データの印刷指示に応じて、前記第１指定に対応する前記１以上のページを印刷し、前記印刷データについての前記第２指定が受け付けられた場合、前記印刷データの印刷指示に応じて、前記第２指定に対応する前記１以上のページ以外のページを印刷する印刷工程と、を有し、
前記印刷工程で前記第１指定に対応する前記１以上のページが印刷された後、前記複数ページを含む前記印刷データが前記記憶部に残り、
前記印刷工程で前記第２指定に対応する前記１以上のページ以外のページが印刷された後、前記複数ページのうち、前記第２指定に対応する前記１以上のページを含まない印刷データが前記記憶部に残ることを特徴とする制御方法。
【請求項６】
請求項１乃至４のいずれか１項に記載の手段としてコンピューターを機能させるためのプログラム。
【手続補正２】
【補正対象書類名】明細書
【補正対象項目名】発明の名称
【補正方法】変更
【補正の内容】
【発明の名称】画像形成装置、制御方法、および、プログラム
【手続補正３】
【補正対象書類名】明細書
【補正対象項目名】０００１
【補正方法】変更
【補正の内容】
【０００１】
本発明はシートに画像を形成する画像形成装置、制御方法、および、プログラムに関する。
【手続補正４】
【補正対象書類名】明細書
【補正対象項目名】０００７
【補正方法】変更
【補正の内容】
【０００７】
記憶部と、操作画面を提供する提供部と、を備える画像形成装置であって、
外部装置から、複数ページを含む印刷データを受信する受信手段と、
前記受信した印刷データを前記記憶部に保存する保存手段と、
前記操作画面を介して、前記保存される印刷データの前記複数ページのうちの１以上のページを印刷するための第１指定を受け付ける第１受け付け手段と、
前記操作画面を介して、前記保存される印刷データの前記複数ページから１以上のページを削除するための第２指定を受け付ける第２受け付け手段と、
前記印刷データについての前記第１指定が受け付けられた場合、前記印刷データの印刷指示に応じて、前記第１指定に対応する前記１以上のページを印刷し、前記印刷データについての前記第２指定が受け付けられた場合、前記印刷データの印刷指示に応じて、前記第２指定に対応する前記１以上のページ以外のページを印刷する印刷手段と、を有し、
前記印刷手段が前記第１指定に対応する前記１以上のページを印刷した後、前記複数ページを含む前記印刷データが前記記憶部に残り、
前記印刷手段が前記第２指定に対応する前記１以上のページ以外のページを印刷した後、前記複数ページのうち、前記第２指定に対応する前記１以上のページを含まない印刷データが前記記憶部に残ることを特徴とする画像形成装置。
【手続補正書】
【提出日】令和2年10月14日(2020.10.14)
【手続補正１】
【補正対象書類名】特許請求の範囲
【補正対象項目名】全文
【補正方法】変更
【補正の内容】
【特許請求の範囲】
【請求項１】
ロボットアームに着脱可能な交換ツールを保管するツールストッカーであって、
前記交換ツールと接触する接触面を、所定の角度、傾斜させる傾斜付与部と、
前記接触面の位置を調整する位置調整機構と、を備えたことを特徴とするツールストッカー。
【請求項２】
請求項１に記載のツールストッカーにおいて、
前記傾斜付与部は、前記ロボットアームにおける前記交換ツールとの装着面に対して、前記所定の角度、傾斜させることを特徴とするツールストッカー。
【請求項３】
請求項１または２に記載のツールストッカーにおいて、
前記接触面が設けられた本体部を備え、
前記位置調整機構は、前記本体部の位置を調整することで前記接触面の位置を調整する、ことを特徴とするツールストッカー。
【請求項４】
請求項１から３のいずれか１項に記載のツールストッカーにおいて、
溝部を備え、
前記位置調整機構は、
前記溝部を摺動可能なナットと、
前記ナットと締結されるボルトを備えている、ことを特徴とするツールストッカー。
【請求項５】
請求項４に記載のツールストッカーにおいて、
前記ナットは、張出し部により前記溝部を摺動可能に設けられており、
前記ボルトが前記張出し部まで押し込まれるまで前記ボルトを前記ナットに締結することで前記接触面の位置決めが行われる、ことを特徴とするツールストッカー。
【請求項６】
請求項４に記載のツールストッカーにおいて、
前記ナットは、張出し部により前記溝部を摺動可能に設けられており、
前記ボルトが前記張出し部まで押し込まれていない状態で前記ボルトを前記ナットに締結した場合、前記ナットと前記ボルトとが前記溝部を移動可能となる、ことを特徴とするツールストッカー。
【請求項７】
請求項４から６のいずれか１項に記載のツールストッカーにおいて、
前記溝部は、前記ツールストッカー設置した面に対して逆Ｔ字型となっている、ことを特徴とするツールストッカー。
【請求項８】
請求項４から７のいずれか１項に記載のツールストッカーにおいて、
前記ボルトが通る開口部を備えた固定部材を備えている、ことを特徴とするツールストッカー。
【請求項９】
請求項３に記載のツールストッカーにおいて、
前記本体部が少なくとも２つ以上、連結して配置されていることを特徴とするツールストッカー。
【請求項１０】
請求項１から９のいずれか１項に記載のツールストッカーにおいて、
前記ツールストッカーは、保管している前記交換ツールの前記接触面に対する位置の位置決めを行う位置決め機構を備えていることを特徴とするツールストッカー。
【請求項１１】
請求項１から１０のいずれか１項に記載のツールストッカーにおいて、
前記ロボットアームと前記交換ツールは空気により着脱を行い、
前記ツールストッカーは、前記ロボットアームと前記交換ツールが着脱される際、前記ロボットアームと結合して前記ロボットアームへの空気経路を構築する結合部を備えていることを特徴とするツールストッカー。
【請求項１２】
ロボットアームと、前記ロボットアームに着脱可能な交換ツールと、前記交換ツールを保管するツールストッカーと、を備えたロボットシステムであって、
前記ツールストッカーは、
前記交換ツールと接触する接触面を、所定の角度、傾斜させる傾斜付与部と、
前記交換ツールと前記ロボットアームとの着脱位置を調整する位置調整機構と、を備えていることを特徴とするロボットシステム。
【請求項１３】
請求項１２に記載のロボットシステムにおいて、
前記ロボットアームは、前記交換ツールが装着される装着面を備え、
前記接触面が前記ロボットアームの所定の軌道上において前記装着面と対面する位置に前記ツールストッカーが配置されていることを特徴とするロボットシステム。
【請求項１４】
請求項１２または１３に記載のロボットシステムにおいて、
前記ロボットアームと前記交換ツールは、
前記ロボットアームと前記交換ツールとの装着状態を保つ固定部をそれぞれ備え、
前記ロボットアームを前記交換ツールに対して一方向に接近もしくは離間させることで、前記ロボットアームと前記交換ツールとの着脱を行うことを特徴とするロボットシステム。
【請求項１５】
請求項１４に記載のロボットシステムにおいて、
前記固定部はボールフランジャーと、前記ボールフランジャーと係合する嵌合孔により構成されていることを特徴とするロボットシステム。
【請求項１６】
請求項１２から１５のいずれか１項に記載のロボットシステムを用いて物品の製造を行うことを特徴とする物品の製造方法。
【請求項１７】
ロボットアームと、前記ロボットアームに着脱可能な交換ツールと、前記交換ツールを保管するツールストッカーと、前記ロボットアームを制御する制御装置とを備えたロボットシステムの制御方法であって、
前記ツールストッカーは、
前記交換ツールと接触する接触面を、所定の角度、傾斜させる傾斜付与部と、
前記接触面の位置を調整する位置調整機構と、を備え、
前記制御装置が、
前記交換ツールを前記ロボットアームにより前記ツールストッカーから取得する際、
前記ロボットアームの前記交換ツールとの装着面を、前記ツールストッカーにおける前記交換ツールとの接触面に対して一方向に接近させ、
前記ロボットアームと前記交換ツールとを機械的に係合させ、
前記交換ツールを前記ロボットアームにより前記ツールストッカーに保管する際、
前記ロボットアームと前記交換ツールとの機械的な係合を解除し、
前記ロボットアームの前記交換ツールとの装着面を、前記ツールストッカーにおける前記ツールとの接触面に対して一方向に離間させる、ことを特徴とする制御方法。
【請求項１８】
請求項１７に制御方法をコンピュータにより実行可能な制御プログラム。
【請求項１９】
請求項１８に記載の制御プログラムを記録したコンピュータで読み取り可能な記録媒体。
【手続補正２】
【補正対象書類名】明細書
【補正対象項目名】０００９
【補正方法】変更
【補正の内容】
【０００９】
上述の課題を解決するために本発明によれば、ロボットアームに着脱可能な交換ツールを保管するツールストッカーであって、前記交換ツールと接触する接触面を、所定の角度、傾斜させる傾斜付与部と、前記接触面の位置を調整する位置調整機構とを備えたことを特徴とするツールストッカーを採用した。
【手続補正書】
【提出日】令和2年10月14日(2020.10.14)
【手続補正１】
【補正対象書類名】特許請求の範囲
【補正対象項目名】全文
【補正方法】変更
【補正の内容】
【特許請求の範囲】
【請求項１】
ロボットアームに着脱可能に装着される交換ツールと、前記交換ツールを保管するためのツールストッカーからなるロボットシステムであって、
前記交換ツールは、接触部を備え、
前記ツールストッカーは、
前記交換ツールが保管された際、前記接触部を所定位置へ位置させる第１機構を備えていることを特徴とするロボットシステム。
【請求項２】
請求項１に記載のロボットシステムにおいて、
前記接触部は、前記第１機構と接触する第２機構を備え、
前記第１機構は、
回動軸を回動中心として回動可能なレバー部材と、
前記レバー部材を弾性付勢する弾性部材と、を備え、
前記弾性部材により弾性付勢された前記レバー部材が、前記第２機構を押圧することで前記接触部を前記所定位置へ位置させることを特徴とするロボットシステム。
【請求項３】
請求項１に記載のロボットシステムにおいて、
前記接触部は、前記第１機構と接触する第２機構を備え、
前記第１機構はテーパ部により構成され、
前記第２機構が前記テーパ部と接触することで前記接触部を前記所定位置へ位置させることを特徴とするロボットシステム。
【請求項４】
請求項２に記載のロボットシステムにおいて、
前記第２機構は、前記レバー部材と接触する突出部であることを特徴とするロボットシステム。
【請求項５】
請求項１から４のいずれか１項に記載のロボットシステムにおいて、
前記交換ツールは、前記接触部が通る開口部を備えており、
前記第１機構が、前記接触部を前記開口部の縁部に突き当てることで前記所定位置に前記接触部を前記所定位置に位置させることを特徴とするロボットシステム。
【請求項６】
請求項１から５のいずれか１項に記載のロボットシステムにおいて、
前記接触部は、ガイドレールとガイドブロックで構成されたスライドガイドにより動作可能となっていることを特徴とするロボットシステム。
【請求項７】
請求項１から６のいずれか１項に記載のロボットシステムにおいて、前記ツールストッカーに前記交換ツールが保管されているか判別する判別部が設けられていることを特徴とするロボットシステム。
【請求項８】
請求項１から７のいずれか１項に記載のロボットシステムにおいて、前記ツールストッカーに前記交換ツールの種類を識別する識別部が設けられていることを特徴とするロボットシステム。
【請求項９】
ツールストッカーに保管される交換ツールであって、
接触部と、
前記接触部に設けられた第２機構と、を備え、
前記第２機構は、前記交換ツールが前記ツールストッカーに保管された状態において、前記ツールストッカーが備える第１機構と接触することで前記接触部を所定位置に位置させることを特徴とする交換ツール。
【請求項１０】
請求項９に記載の交換ツールをロボットアームに装着したロボット装置。
【請求項１１】
接触部を有した交換ツールを保管するツールストッカーであって、
前記交換ツールが保管された際、前記接触部を所定位置へ位置させる第１機構を備えていることを特徴とするツールストッカー。
【請求項１２】
請求項１１に記載のツールストッカーにおいて、
前記第１機構は、
回動軸を回動中心として回動可能なレバー部材と、
前記レバー部材を弾性付勢する弾性部材と、を備えている、ことを特徴とするツールストッカー。
【請求項１３】
請求項１１または１２に記載のツールストッカーにおいて、前記ツールストッカーに前記交換ツールが保管されているか判別する判別部が設けられていることを特徴とするツールストッカー。
【請求項１４】
請求項１１から１３のいずれか１項に記載のツールストッカーにおいて、前記ツールストッカーに前記交換ツールの種類を識別する識別部が設けられていることを特徴とするツールストッカー。
【請求項１５】
ロボットアームに着脱可能に装着される交換ツールと、前記交換ツールを保管するためのツールストッカーと、前記ロボットアームを制御する制御装置とを備えたロボットシステムの制御方法であって、
前記交換ツールは、接触部を備え、
前記ツールストッカーは、前記交換ツールが保管された際、前記接触部を所定位置へ位置させる第１機構を備え、
前記制御装置が、
前記ロボットアームにより、前記交換ツールの前記接触部を前記第１機構に接触させながら前記交換ツールを移動させ、前記第１機構により前記接触部を前記所定位置へ位置させる、ことを特徴とする制御方法。
【請求項１６】
請求項１５に記載の制御方法をコンピュータにより実行可能な制御プログラム。
【請求項１７】
請求項１６に記載の制御プログラムを記録した、コンピュータで読み取り可能な記録媒体。
【請求項１８】
請求項１から８のいずれか１項に記載のロボットシステムを用いて物品の製造を行うことを特徴とする物品の製造方法。
【手続補正２】
【補正対象書類名】明細書
【補正対象項目名】０００９
【補正方法】変更
【補正の内容】
【０００９】
上述の課題を解決するために本発明によれば、ロボットアームに着脱可能に装着される交換ツールと、前記交換ツールを保管するためのツールストッカーからなるロボットシステムであって、前記交換ツールは、接触部を備え、前記ツールストッカーは、前記交換ツールが保管された際、前記接触部を所定位置へ位置させる第１機構を備えていることを特徴とするロボットシステムを採用した。
【手続補正書】
【提出日】令和2年7月16日(2020.7.16)
【手続補正１】
【補正対象書類名】特許請求の範囲
【補正対象項目名】全文
【補正方法】変更
【補正の内容】
【特許請求の範囲】
【請求項１】
液体吸収体層と、第１液透過性シート層と、を有し、
前記液体吸収体層は、ＭＦＲが０．１ｇ／１０ｍｉｎ以上２００ｇ／１０ｍｉｎ以下である樹脂からなる、平均繊維長が０．０５ｍｍ以上５０ｍｍ以下であり、かつ、繊維径の最小値が０．５μｍ以上であり繊維径の最大値が５０μｍ以下であるミクロフィブリル繊維が集合してなる、カナディアンフリーネスが３００ｍｌ以上７４０ｍｌ以下である合成パルプと、前記合成パルプに捕捉された高分子吸収体と、抗菌剤と、を含む積層体。
【請求項２】
前記液体吸収体層の全質量に対する前記合成パルプの含有率が１０質量％〜７０質量％である請求項１に記載の積層体。
【請求項３】
前記液体吸収体層の全質量に対する前記高分子吸収体の含有率が２０質量％〜８０質量％である請求項１または請求項２に記載の積層体。
【請求項４】
前記液体吸収体層の全質量に対する前記抗菌剤の含有率が０．１質量％〜２０質量％である請求項１〜請求項３のいずれか一項に記載の積層体。
【請求項５】
前記抗菌剤が、銀イオンを担持した無機粒子である請求項１〜請求項４のいずれか一項に記載の積層体。
【請求項６】
前記液体吸収体層の前記第１液透過性シート層を有する側とは反対側に第２液透過性シートを有する請求項１〜請求項５のいずれか一項に記載の積層体。
【請求項７】
請求項１〜請求項６のいずれか一項に記載の積層体を含むハンカチ。
【請求項８】
請求項１〜請求項６のいずれか一項に記載の積層体を含むタオル。
【請求項９】
請求項１〜請求項６のいずれか一項に記載の積層体を含む肌着。
【請求項１０】
下羽根および上羽根の上下二段に設置された撹拌羽根を撹拌容器内に有するミキサーで、下羽根による回転力によって合成パルプおよび高分子吸収体を流動させ、同時に上羽根による剪断力によって、ＭＦＲが０．１ｇ／１０ｍｉｎ以上２００ｇ／１０ｍｉｎ以下である樹脂からなる、平均繊維長が０．０５ｍｍ以上５０ｍｍ以下であり、かつ、繊維径の最小値が０．５μｍ以上であり繊維径の最大値が５０μｍ以下であるミクロフィブリル繊維が集合してなる、カナディアンフリーネスが３００ｍｌ以上７４０ｍｌ以下である前記合成パルプと、前記高分子吸収体と、を撹拌および混合して液体吸収体を製造する液体吸収体製造工程と、
抗菌剤を付与する抗菌剤付与工程と、
前記液体吸収体と、第１液透過性シートと、を積層する積層工程と、を含む積層体の製造方法。
【手続補正２】
【補正対象書類名】明細書
【補正対象項目名】００６２
【補正方法】変更
【補正の内容】
【００６２】
ミクロフィブリル繊維は、１本の繊維が多数に枝分かれた分岐構造を有する。分岐構造は光学顕微鏡または電子顕微鏡で観察して確認できる。
【手続補正書】
【提出日】令和2年10月1日(2020.10.1)
【手続補正１】
【補正対象書類名】特許請求の範囲
【補正対象項目名】全文
【補正方法】変更
【補正の内容】
【特許請求の範囲】
【請求項１】
画像データに基づいてｎ回（ｎ≧２）の記録走査により記録媒体上に画像を形成するマルチパス印刷を制御する制御装置であって、
前記画像データが表す画像に対してエッジ検出を行い、検出したエッジに接する高濃度領域の画素と、前記検出したエッジに接する前記高濃度領域よりも濃度が低い低濃度領域の画素と、前記検出したエッジに接しない非エッジ領域の画素とのうちいずれの画素であるかを示す情報を画素毎に取得する取得手段と、
前記情報に基づいて、前記高濃度領域の画素のドットと前記低濃度領域の画素のドットとが異なる記録走査に割り当てられるように、前記画像データを前記ｎ回の記録走査に分解する分解手段と
を有することを特徴とする制御装置。
【請求項２】
前記分解手段は、前記高濃度領域の画素と、前記低濃度領域の画素とのそれぞれに対して、前記ｎ回の記録走査それぞれへのドットの間引き率が異なるパスマスクを用いることを特徴とする請求項１に記載の制御装置。
【請求項３】
さらに、複数のパスマスクを保持する保持手段と、
前記情報に基づいて前記画像データが表す画像における画素毎に、前記複数のパスマスクのうちいずれかのパスマスクを選択する選択手段とを有し、
前記分解手段は、前記選択手段が選択したパスマスクを用いて、前記画像データを分解することを特徴とする請求項１または２に記載の制御装置。
【請求項４】
前記選択手段は、前記高濃度領域の画素に対しては、前記ｎ回の記録走査のうち先行する記録走査に対応する間引き率を他の記録走査に対応する間引き率よりも大きくしたパスマスクを選択し、前記低濃度領域の画素に対して、前記ｎ回の記録走査のうち後続の記録走査に対応する間引き率を他の記録走査に対応する間引き率よりも大きくしたパスマスクを選択することを特徴とする請求項３に記載の制御装置。
【請求項５】
前記情報は、前記画像データが表す画像に対してエッジ検出することにより生成された情報であることを特徴とする請求項１乃至４の何れか一項に記載の制御装置。
【請求項６】
前記情報は、前記画像データが表す画像において回復すべき鮮鋭性の程度を示す情報であることを特徴とする請求項１乃至４の何れか一項に記載の制御装置。
【請求項７】
前記分解手段は、前記高濃度領域の画素に対して、前記低濃度領域の画素および前記非エッジ領域の画素よりも少ない記録走査で記録されるように、前記画像データを分解することを特徴とする請求項１乃至６の何れか一項に記載の制御装置。
【請求項８】
前記画像データは、ハーフトーン処理されたデータであることを特徴とする請求項１乃至７の何れか一項に記載の制御装置。
【請求項９】
ｎ回（ｎ≧２）の記録走査ごとの記録データに基づいて、ｎ回の記録走査により記録媒体に画像を形成する画像形成装置であって、
前記記録走査ごとの記録データを取得する取得手段と、
前記記録データに基づいて、インクを吐出することによりドットを記録する記録手段とを有し、
前記記録手段は、エッジを挟むように隣接する２つの濃度の異なる領域それぞれのドットを異なる記録走査で記録することを特徴とする画像形成装置。
【請求項１０】
コンピュータを請求項１乃至８の何れか一項に記載の制御装置の各手段として機能させるためのプログラム。
【請求項１１】
画像データに基づいてｎ回（ｎ≧２）の記録走査により記録媒体上に画像を形成するマルチパス印刷を制御する制御方法であって、
前記画像データが表す画像に対してエッジ検出を行い、検出したエッジに接する高濃度領域の画素と、前記検出したエッジに接する前記高濃度領域よりも濃度が低い低濃度領域の画素と、前記検出したエッジに接しない非エッジ領域の画素とのうちいずれの画素であるかを示す情報を画素毎に取得し、
前記情報に基づいて、前記高濃度領域の画素のドットと前記低濃度領域の画素のドットとが異なる記録走査に割り当てられるように、前記画像データを前記ｎ回の記録走査に分解することを特徴とする制御方法。
【手続補正２】
【補正対象書類名】明細書
【補正対象項目名】０００６
【補正方法】変更
【補正の内容】
【０００６】
上記課題を解決するために、本発明に係る制御装置は、画像データに基づいてｎ回（ｎ≧２）の記録走査により記録媒体上に画像を形成するマルチパス印刷を制御する制御装置であって、前記画像データが表す画像に対してエッジ検出を行い、検出したエッジに接する高濃度領域の画素と、前記検出したエッジに接する前記高濃度領域よりも濃度が低い低濃度領域の画素と、前記検出したエッジに接しない非エッジ領域の画素とのうちいずれの画素であるかを示す情報を画素毎に取得する取得手段と、前記情報に基づいて、前記高濃度領域の画素のドットと前記低濃度領域の画素のドットとが異なる記録走査に割り当てられるように、前記画像データを前記ｎ回の記録走査に分解する分解手段とを有することを特徴とする。
【手続補正書】
【提出日】令和2年6月19日(2020.6.19)
【手続補正１】
【補正対象書類名】特許請求の範囲
【補正対象項目名】全文
【補正方法】変更
【補正の内容】
【特許請求の範囲】
【請求項１】
熱可塑性樹脂の連続繊維から構成された、第１面に位置する第１繊維層と、前記第１面の反対側の第２面に位置する第２繊維層とを含み、
前記第１及び第２繊維層間には、複数条の弾性体が収縮可能に取り付けられており、
前記第１及び第２繊維層には、互いに隣接する前記弾性体間において前記弾性体が延在する方向と交差する方向へ複数のギャザーが形成されており、
前記第１及び第２繊維層のＫＥＳ法による曲げ剛性の平均値が０．００３５〜０．０２２Ｎ・ｍ２／ｍ×１０＾−４であって、かつ、前記ギャザーに対するＫＥＳ法による圧縮荷重下での厚さ寸法は、０．２２〜１．５ｍｍである吸収性物品用伸縮性シート。
【請求項２】
前記ギャザーに対する圧縮荷重下における、ＫＥＳ法における圧縮仕事量が０．２３６〜５．０Ｎ・ｍ／ｍ２、ＫＥＳ法における圧縮回復率は、１９〜３６％である請求項１に記載の伸縮性シート。
【請求項３】
前記第１繊維層はポリエチレン繊維から構成されたスパンメルト不織布、前記第２繊維層は少なくとも一部にポリオレフィン繊維を含むスパンメルト不織布からそれぞれ形成されている請求項１又は２に記載の伸縮性シート。
【請求項４】
前記第１及び第２繊維層は、ポリエチレン繊維から構成されたスパンメルト不織布から形成されている請求項１又は２に記載の伸縮性シート。
【請求項５】
前記第１及び第２繊維層は、前記連続繊維が融着された複数の融着部分を有し、前記第１繊維層における前記融着部分と非融着部分との剛性差よりも、前記第２繊維層における前記融着部分と前記非融着部分との剛性差の方が大きい請求項３に記載の伸縮性シート。
【請求項６】
前記第１及び第２繊維層の質量は、それぞれ、１０〜３０ｇ／ｍ２、前記第１及び第２繊維層の見掛け密度は、それぞれ、０．０４〜０．１５ｇ／ｃｍ３であって、前記交差する方向へ並ぶ前記複数条の弾性体間のピッチは、２．０〜１２．０ｍｍである請求項１〜５のいずれかに記載の伸縮性シート。
【請求項７】
前記ポリエチレン繊維の繊度は１．５〜４．０ｄｔｅｘ、前記ポリオレフィン繊繊維の繊度は０．９〜２．５ｄｔｅｘである請求項３又は５に記載の伸縮性シート。
【請求項８】
前記伸縮性シートは、肌対向面及びその反対側の非肌対向面を有し、前記第１面は前記肌対向面、前記第２面は前記非肌対向面に対応する請求項１〜７のいずれかに記載の伸縮性シート。
【請求項９】
請求項１〜８のいずれかに記載の伸縮性シートを使用した吸収性物品。
【請求項１０】
前記吸収性物品は、前後ウエスト域及びクロッチ域を有する使い捨ておむつであって、前記前後ウエスト域を形成するウエスト弾性シート、前記クロッチ域においてレッグ開口縁に沿って配置されるレッグ弾性シート及び前記クロッチ域から前記前後ウエスト域まで延びる防漏カフシートのうちの少なくとも１つのシートが前記伸縮性シートから形成されている請求項９に記載の吸収性物品。
【手続補正２】
【補正対象書類名】明細書
【補正対象項目名】００１７
【補正方法】変更
【補正の内容】
【００１７】
第１発明に係る吸収性物品用伸縮性シートのさらに他の実施態様の一つにおいて、前記ポリエチレン繊維の繊度は１．５〜４．０ｄｔｅｘ、前記ポリオレフィン繊維の繊度は０．９〜２．５ｄｔｅｘである。
【手続補正書】
【提出日】令和2年10月15日(2020.10.15)
【手続補正１】
【補正対象書類名】特許請求の範囲
【補正対象項目名】全文
【補正方法】変更
【補正の内容】
【特許請求の範囲】
【請求項１】
固定装飾体と、
前記固定装飾体に対して移動可能な可動装飾体と、を備え、
前記可動装飾体は、第１可動装飾体と、第２可動装飾体を含み、
前記固定装飾体は、所定の表示をなす表示部を有し、
前記表示部は、前記可動装飾体が第１の位置にあるときよりも第２の位置にあるときの方が遊技者から視認可能な部分が多いものであり、
前記可動装飾体が前記第１の位置から前記第２の位置に移動した場合、前記第１可動装飾体が前記第２可動装飾体に対して移動することがあり、
前記第１可動装飾体が移動する場合、前記可動装飾体が有する所定の発光部が所定の発光態様で発光する特定発光演出が行われることがあることを特徴とする遊技機。
【請求項２】
請求項１に記載の遊技機であって、
遊技者による操作が可能な操作部を備え、
前記特定発光演出は、前記操作部が操作されたことに基づいて行われることがあることを特徴とする遊技機。
【請求項３】
請求項２に記載の遊技機であって、
遊技者が正対する前面部を備え、
前記前面部が、前記固定装飾体、前記可動装飾体、及び、前記操作部を備えていることを特徴とする遊技機。
【手続補正２】
【補正対象書類名】明細書
【補正対象項目名】０００６
【補正方法】変更
【補正の内容】
【０００６】
本発明の遊技機は、
固定装飾体と、
前記固定装飾体に対して移動可能な可動装飾体と、を備え、
前記可動装飾体は、第１可動装飾体と、第２可動装飾体を含み、
前記固定装飾体は、所定の表示をなす表示部を有し、
前記表示部は、前記可動装飾体が第１の位置にあるときよりも第２の位置にあるときの方が遊技者から視認可能な部分が多いものであり、
前記可動装飾体が前記第１の位置から前記第２の位置に移動した場合、前記第１可動装飾体が前記第２可動装飾体に対して移動することがあり、
前記第１可動装飾体が移動する場合、前記可動装飾体が有する所定の発光部が所定の発光態様で発光する特定発光演出が行われることがあることを特徴とする遊技機である。
【手続補正書】
【提出日】令和2年10月15日(2020.10.15)
【手続補正１】
【補正対象書類名】特許請求の範囲
【補正対象項目名】全文
【補正方法】変更
【補正の内容】
【特許請求の範囲】
【請求項１】
遊技者が正対する前面部を備え、
前記前面部は、
第１装飾体と、
前記第１装飾体に対して移動可能な第２装飾体と、
第１の可動部材と、
第２の可動部材と、を備え、
前記第１の可動部材は、前記第２装飾体が第１の位置にある場合に、動作するときと動作しないときとがあり、
前記第２の可動部材は、前記第２装飾体が第２の位置にある場合に、特定の動作パターンで動作することがあり、
前記第１の可動部材が動作してから前記第２装飾体が前記第１の位置から前記第２の位置に移動した場合と、前記第１の可動部材が動作することなく前記第２装飾体が前記第１の位置から前記第２の位置に移動した場合とで、前記第２の可動部材が前記特定の動作パターンで動作する確率が異なることを特徴とする遊技機。
【請求項２】
請求項１に記載の遊技機であって、
前記第２の可動部材は、前記第２装飾体が前記第１の位置にあるときには前記特定の動作パターンとは異なる非特定の動作パターンで動作することがあり、
前記第２の可動部材が前記非特定の動作パターンで動作してから前記第２装飾体が前記第１の位置から前記第２の位置に移動した場合と、前記第２の可動部材が前記非特定の動作パターンで動作することなく前記第２装飾体が前記第１の位置から前記第２の位置に移動した場合とで、前記第２の可動部材が前記特定の動作パターンで動作する確率が異なることを特徴とする遊技機。
【請求項３】
請求項２に記載の遊技機であって、
前記第１の可動部材および前記第２の可動部材は、前記第２装飾体に設けられていることを特徴とする遊技機。
【請求項４】
請求項１から請求項３までのいずれかに記載の遊技機であって、
前記第２の可動部材が前記特定の動作パターンで動作した場合、遊技者に有利な遊技状態に制御されることを特徴とする遊技機。
【手続補正２】
【補正対象書類名】明細書
【補正対象項目名】０００６
【補正方法】変更
【補正の内容】
【０００６】
本発明の遊技機は、
遊技者が正対する前面部を備え、
前記前面部は、
第１装飾体と、
前記第１装飾体に対して移動可能な第２装飾体と、
第１の可動部材と、
第２の可動部材と、を備え、
前記第１の可動部材は、前記第２装飾体が第１の位置にある場合に、動作するときと動作しないときとがあり、
前記第２の可動部材は、前記第２装飾体が第２の位置にある場合に、特定の動作パターンで動作することがあり、
前記第１の可動部材が動作してから前記第２装飾体が前記第１の位置から前記第２の位置に移動した場合と、前記第１の可動部材が動作することなく前記第２装飾体が前記第１の位置から前記第２の位置に移動した場合とで、前記第２の可動部材が前記特定の動作パターンで動作する確率が異なることを特徴とする遊技機である。